(57)【要約】【課題】コストを抑えた高圧電源を用いながら効果的なクリーニングを実行することができる画像形成装置を提供する。【解決手段】像担持体のトナー像を記録媒体に転写する印字モードと、転写部材の汚れを取り除くクリーニングモードとを切り替える画像形成装置において、印字モードとクリーニングモードとを切り替えるときに、帯電出力と現像バイアス出力と転写出力とを切り替える出力切替シーケンスを実行する。クリーニングモードから印字モードに切り替えを行なうときのクリーニング復帰シーケンスにて発生したかぶりトナーが転写部材に到達する前に、転写部材を離間させ、かぶりトナーが通過した後に圧接させる。【選択図】図７
2009020397.tif 000002
【特許請求の範囲】
【請求項１】
画像を担持する像担持体と、
前記像担持体表面を帯電させる帯電手段と、
前記帯電手段により帯電された像担持体上に静電潜像を形成する露光手段と、
前記露光手段により形成された静電潜像を現像する現像手段と、
前記現像手段により現像されたトナー像を記録媒体へ転写する転写手段と、
前記像担持体のトナー像を記録媒体に転写する印字モードと、前記転写手段の汚れを取り除くクリーニングモードとを切り替える切替手段と、
前記印字モードと前記クリーニングモードとを切り替えるときに、帯電出力と現像バイアス出力と転写出力とを切り替える出力切替シーケンスを実行する制御手段と、
前記クリーニングモードから前記印字モードに切り替えを行なうときの出力切替シーケンスにて発生したかぶりトナーが前記転写手段に到達する前に、前記転写手段を離間させ、かぶりトナーが通過した後に圧接させる駆動手段とを備えた、画像形成装置。
【請求項２】
前記駆動手段によって転写手段が圧接された後に、印字を再開する印字再開手段をさらに備えた、請求項１に記載の画像形成装置。
【請求項３】
前記印字モードから前記クリーニングモードに切り替えを行なうときの出力切替シーケンスにて発生したかぶりトナーを前記転写手段で回収した後に、転写手段をクリーニングする、請求項１または２に記載の画像形成装置。
【請求項４】
出力切替シーケンス実行する場合において、現像バイアス出力の絶対値を上げるときは、先に帯電出力の絶対値を上げ、
帯電出力の絶対値を上げた時の帯電ポイントと対向していた感光体表面の位置が、現像ポイントより上流の位置となる時点で現像バイアス出力の絶対値を設定する、請求項１から３のいずれかに記載の画像形成装置。
【請求項５】
出力切替シーケンス実行する場合において、現像バイアス出力の絶対値を下げるときは、先に帯電出力の絶対値を下げ、
帯電出力の絶対値を下げた時の帯電ポイントと対向していた感光体表面の位置が、現像ポイントより下流の位置となる時点で現像バイアス出力の絶対値を設定する、請求項１から３のいずれかに記載の画像形成装置。
【請求項６】
出力切替シーケンス実行する場合において、常に感光体にキャリアを付着させずにかぶりトナーが付着するように出力の切替制御を行なう、請求項１から５のいずれかに記載の画像形成装置。
【請求項７】
画像を担持する像担持体と、
前記像担持体表面を帯電させる帯電手段と、
前記帯電手段により帯電された像担持体上に静電潜像を形成する露光手段と、
前記露光手段により形成された静電潜像を現像する現像手段と、
前記現像手段により現像されたトナー像を記録媒体へ転写する転写手段とを備えた画像形成装置の制御方法であって、
前記像担持体のトナー像を記録媒体に転写する印字モードと、前記転写手段の汚れを取り除くクリーニングモードとを切り替える切替ステップと、
前記印字モードと前記クリーニングモードとを切り替えるときに、帯電出力と現像バイアス出力と転写出力とを切り替える出力切替シーケンスを実行する制御ステップと、
前記クリーニングモードから前記印字モードに切り替えを行なうときの出力切替シーケンスにて発生したかぶりトナーが前記転写手段に到達する前に、前記転写手段を離間させ、かぶりトナーが通過した後に圧接させる駆動ステップとを備えた、画像形成装置の制御方法。
【請求項８】
画像を担持する像担持体と、
前記像担持体表面を帯電させる帯電手段と、
前記帯電手段により帯電された像担持体上に静電潜像を形成する露光手段と、
前記露光手段により形成された静電潜像を現像する現像手段と、
前記現像手段により現像されたトナー像を記録媒体へ転写する転写手段とを備えた画像形成装置の制御プログラムであって、
前記像担持体のトナー像を記録媒体に転写する印字モードと、前記転写手段の汚れを取り除くクリーニングモードとを切り替える切替ステップと、
前記印字モードと前記クリーニングモードとを切り替えるときに、帯電出力と現像バイアス出力と転写出力とを切り替える出力切替シーケンスを実行する制御ステップと、
前記クリーニングモードから前記印字モードに切り替えを行なうときの出力切替シーケンスにて発生したかぶりトナーが前記転写手段に到達する前に、前記転写手段を離間させ、かぶりトナーが通過した後に圧接させる駆動ステップとをコンピュータに実行させる、画像形成装置の制御プログラム。
【発明の詳細な説明】
【技術分野】
【０００１】
この発明は画像形成装置、画像形成装置の制御方法、および画像形成装置の制御プログラムに関し、特に転写部材の清掃動作を実行する画像形成装置、画像形成装置の制御方法、および画像形成装置の制御プログラムに関する。
【背景技術】
【０００２】
従来より、トナー像を用紙にプリントすることによって画像を形成する画像形成装置（ＭＦＰ（Multi Function Peripheral）、ファクシミリ装置、複写機、プリンタなど）が知られている。
【０００３】
画像品質を維持するために画像形成装置は、所定量の印字を行なったり、または所定の時間が経過するごとに、画像形成部の調整動作や清掃動作を行なう。
【０００４】
印字動作中に、調整動作や清掃動作を実施する場合、印字動作と調整動作、または印字動作と清掃動作の切り替えが必要となる。この切り替え時間や、調整動作および清掃動作そのものに必要となる時間を減少させることが、印字の中断時間を低減し、印字生産性を向上させる事になり、結果としてユーザの利便性の向上に繋がることとなる。
【０００５】
清掃動作が必要となる原因の１つとして、以下のものがある。
【０００６】
感光体などの像担持体に静電潜像を作成し、これ現像部においてトナー像にする際、本来トナーを付着させない非画像部にもトナーがごくわずかに付着する。
【０００７】
このトナーは、トナー像を用紙に転写する際に用紙に付着する。このトナーは、極微量であるため、画像品質の観点からは問題とならない。しかしながら、用紙が存在しない部分（用紙と用紙との間隔部や小サイズ用紙を使用した場合の非通紙部）に付着したトナーは、転写工程において転写部材に吸着され、転写部材に蓄積する。蓄積の結果、用紙の裏面にトナーが付着する裏汚れが生じ、問題となる。
【０００８】
裏汚れを防止するために、所定枚数の印字が行なわれると、転写部材のクリーニングを実施することが考えられる。
【０００９】
クリーニングにおいては、転写部材への印加電圧を、印字動作時とは異なった極性に切り替えたり、異なった出力に変化させたりする（なお、ここでは説明上、「電圧」としているが、電流や電力でも構わない）。これにより、転写部材のトナーを転写ベルトや感光体などに付着させ、除去するものである。
【００１０】
下記特許文献１は、現像バイアス電圧と帯電電圧の立ち上げ時に、現像バイアス電圧を帯電電圧に先行して増加させ、立ち下げ時には、逆に帯電出力を現像バイアスに先行して減少させる画像形成装置を開示している。
【００１１】
特許文献２は、トナー、キャリア付着の防止目的で、現像バイアス印加とＰＣ（静電像担持体）の駆動タイミング、または、現像バイアス印加と現像ローラーの駆動タイミングを制御する画像形成装置を開示している。
【特許文献１】特開２００３−２０２７９０号公報
【特許文献２】特開平６−２１４４４２号公報
【発明の開示】
【発明が解決しようとする課題】
【００１２】
図１８は、画像形成装置の高圧電源の具体例を示す図である。
【００１３】
高圧電源３１５は、帯電チャージャー３５３に電圧を印加するための帯電出力用電源３１５ａと、現像ローラー３５１ａに電圧を印加するための現像バイアス出力用電源３１５ｂと、クリーニング時に２次転写ローラー３０９に電圧を印加するための２次転写出力用（クリーニング用）電源３１５ｅと、印字時に２次転写ローラー３０９に電圧を印加するための２次転写出力用（印字用）電源３１５ｃとを備える。
【００１４】
帯電出力用電源３１５ａは、−３００Ｖ〜−１１００Ｖの電圧を出力し、現像バイアス出力用電源３１５ｂは、−１００Ｖ〜−８００Ｖの電圧を出力し、２次転写出力用（クリーニング用）電源３１５ｅは、−５００Ｖの電圧を出力し、２次転写出力用（印字用）電源３１５ｃは、＋３００Ｖ〜＋４８００Ｖの電圧を出力する。
【００１５】
２次転写出力用（クリーニング用）電源３１５ｅと、２次転写出力用（印字用）電源３１５ｃとの出力が、スイッチＳＷにより切り替えられて転写ローラー３０９に印加される。
【００１６】
図に示されるように、クリーニングを実行するためには、転写部材へ電圧を印加する高圧電源に対して、印加電圧の出力や極性を変化させる機能が必要である。その機能の分、高圧電源は高価となりコストダウン上の障害になっている。
【００１７】
この発明はそのような問題点を解決するためになされたものであり、コストを抑えた高圧電源を用いながら効果的なクリーニングを実行することができる画像形成装置、画像形成装置の制御方法、および画像形成装置の制御プログラムを提供することを目的としている。
【課題を解決するための手段】
【００１８】
上記目的を達成するためこの発明のある局面に従うと、画像形成装置は、画像を担持する像担持体と、像担持体表面を帯電させる帯電手段と、帯電手段により帯電された像担持体上に静電潜像を形成する露光手段と、露光手段により形成された静電潜像を現像する現像手段と、現像手段により現像されたトナー像を記録媒体へ転写する転写手段と、像担持体のトナー像を記録媒体に転写する印字モードと、転写手段の汚れを取り除くクリーニングモードとを切り替える切替手段と、印字モードとクリーニングモードとを切り替えるときに、帯電出力と現像バイアス出力と転写出力とを切り替える出力切替シーケンスを実行する制御手段と、クリーニングモードから印字モードに切り替えを行なうときの出力切替シーケンスにて発生したかぶりトナーが転写手段に到達する前に、転写手段を離間させ、かぶりトナーが通過した後に圧接させる駆動手段とを備える。
【００１９】
好ましくは画像形成装置は、駆動手段によって転写手段が圧接された後に、印字を再開する印字再開手段をさらに備える。
【００２０】
好ましくは画像形成装置は、印字モードからクリーニングモードに切り替えを行なうときの出力切替シーケンスにて発生したかぶりトナーを転写手段で回収した後に、転写手段をクリーニングする。
【００２１】
好ましくは画像形成装置は、出力切替シーケンス実行する場合において、現像バイアス出力の絶対値を上げるときは、先に帯電出力の絶対値を上げ、帯電出力の絶対値を上げた時の帯電ポイントと対向していた感光体表面の位置が、現像ポイントより上流の位置となる時点で現像バイアス出力の絶対値を設定する。
【００２２】
好ましくは画像形成装置は、出力切替シーケンス実行する場合において、現像バイアス出力の絶対値を下げるときは、先に帯電出力の絶対値を下げ、帯電出力の絶対値を下げた時の帯電ポイントと対向していた感光体表面の位置が、現像ポイントより下流の位置となる時点で現像バイアス出力の絶対値を設定する。
【００２３】
好ましくは画像形成装置は、出力切替シーケンス実行する場合において、常に感光体にキャリアを付着させずにかぶりトナーが付着するように出力の切替制御を行なう。
【００２４】
この発明の他の局面に従うと、画像形成装置の制御方法は、画像を担持する像担持体と、像担持体表面を帯電させる帯電手段と、帯電手段により帯電された像担持体上に静電潜像を形成する露光手段と、露光手段により形成された静電潜像を現像する現像手段と、現像手段により現像されたトナー像を記録媒体へ転写する転写手段とを備えた画像形成装置の制御方法であって、像担持体のトナー像を記録媒体に転写する印字モードと、転写手段の汚れを取り除くクリーニングモードとを切り替える切替ステップと、印字モードとクリーニングモードとを切り替えるときに、帯電出力と現像バイアス出力と転写出力とを切り替える出力切替シーケンスを実行する制御ステップと、クリーニングモードから印字モードに切り替えを行なうときの出力切替シーケンスにて発生したかぶりトナーが転写手段に到達する前に、転写手段を離間させ、かぶりトナーが通過した後に圧接させる駆動ステップとを備える。
【００２５】
この発明のさらに他の局面に従うと、画像形成装置の制御プログラムは、画像を担持する像担持体と、像担持体表面を帯電させる帯電手段と、帯電手段により帯電された像担持体上に静電潜像を形成する露光手段と、露光手段により形成された静電潜像を現像する現像手段と、現像手段により現像されたトナー像を記録媒体へ転写する転写手段とを備えた画像形成装置の制御プログラムであって、像担持体のトナー像を記録媒体に転写する印字モードと、転写手段の汚れを取り除くクリーニングモードとを切り替える切替ステップと、印字モードとクリーニングモードとを切り替えるときに、帯電出力と現像バイアス出力と転写出力とを切り替える出力切替シーケンスを実行する制御ステップと、クリーニングモードから印字モードに切り替えを行なうときの出力切替シーケンスにて発生したかぶりトナーが転写手段に到達する前に、転写手段を離間させ、かぶりトナーが通過した後に圧接させる駆動ステップとをコンピュータに実行させる。
【発明の効果】
【００２６】
これらの発明に従うと、コストを抑えた高圧電源を用いながら効果的なクリーニングを実行することができる画像形成装置、画像形成装置の制御方法、および画像形成装置の制御プログラムを提供することが可能となる。
【発明を実施するための最良の形態】
【００２７】
以下、本発明の実施の形態の１つにおける画像形成装置について説明する。
【００２８】
画像形成装置は、画像形成装置を構成する１つの構成要素である転写ローラーのクリーニング制御を行なう。
【００２９】
一般的に、転写ローラーのクリーニングを実施する際は、転写ローラーに、印字動作中とは異なった電圧を印加する。このため、印字動作中に転写ローラーのクリーニングを実施する際は、印字動作を一旦中断した上で、転写ローラーへの印加電圧を「印字用の電圧」から「クリーニング用の電圧」に変更し、クリーニング動作が終了した時点で「印字用の電圧」に再び切り替える。
【００３０】
転写ローラー用の出力と現像バイアス用の出力などを行なう画像形成装置内の複数の高圧出力に対して、回路の共通化を行なった低コストの高圧電源を使用して装置を構成する場合、転写ローラーへの印字出力とクリーニング出力の切り替えに伴って現像バイアスも変化するため、トナーが感光体や転写ベルトに付着する。
【００３１】
トナーやキャリアの付着を防止するためには、帯電チャージャーへの印加電圧も変化させる必要がある。しかし、高圧電源の出力電圧を切り替えた際の出力電圧の変化の時間特性が一律ではないため、トナーやキャリアの付着をゼロにすることはできない。
【００３２】
そこで、付着したトナーが転写ローラーの汚れとして画像形成に影響しないように、かつ、印字中断時間を最小にしたクリーニング制御を実現するために、本実施の形態における画像形成装置は、クリーニング実施前に転写ローラーの位置に到達するトナーは転写ローラーを圧接した状態で通過させ、クリーニング後は転写ローラーを離間して通過させる。
【００３３】
これにより、品質が高くダウンタイムを短くしたクリーニングが実施される。
【００３４】
以下、図面を用いて本発明の実施の形態について説明する。
【００３５】
図１は、本発明の実施の形態の１つにおける画像形成装置の概略構成を示す図である。
【００３６】
図を参照して画像形成装置は、原稿を光学的に読み取り、画像データを出力するスキャナ１０１と、シアン、マゼンタ、イエロー、ブラックの４色の画像形成部を備えたプリント部１０３と、給紙カセットや手差し給紙装置を備える給紙部１０５と、片面に画像がプリントされた用紙を反転させ、再度プリント部１０３に送り込むことで両面プリントを実行させる両面ユニット１０７と、プリント後の用紙にパンチ処理、紙折り処理、ステープル処理を行なう後処理ユニット１０９と、用紙の仕分けを行なうソーター１１１とを備えている。
【００３７】
プリント部１０３は、シアン、マゼンタ、イエロー、ブラックの４色それぞれに対応する、感光体ドラム、現像器、帯電チャージャー、イレーサー、クリーナー、およびレーザー発光ユニットから構成されるイメージングユニットＩＵを含む。またプリント部１０３は、各色に対応するトナー保持、送り出し部を含む。さらにプリント部１０３は、トナー像を一旦保持し、それを用紙に転写する中間転写ベルトと、用紙上のトナー像を定着させる定着器（加熱ローラー、加圧ローラーから構成される。）とを含む。
【００３８】
プリント部１０３内の通紙経路の近くであって、両面ユニット１０７からの用紙が戻ってくる位置付近には、環境温度を検出する環境温度センサＳＥが設置されている。
【００３９】
図２は、画像形成装置の制御装置のブロック図である。
【００４０】
画像形成装置の制御装置は、プリント部１０３のメカ機構を制御するエンジン制御部と、エンジンを制御するプリンタコントローラー部と、メモリを備えるイメージングユニットとから構成される。
【００４１】
エンジン制御部には、排紙制御を行なう排紙装置２２３が接続される。
【００４２】
プリンタコントローラー部には、コンピュータなどの外部機器２２５、ファクシミリ回線２２７、およびスキャナ装置２２９が接続される。
【００４３】
エンジン制御部は、装置全体を制御するためのＣＰＵ２０１と、制御プログラムや各種定数を記憶するＲＯＭ２０３と、データを一時的に記憶するＲＡＭ２０５と、エンジン制御部とその外部との間で情報の授受を行なうインタフェース（ＩＦ）制御部２０７と、各種機器との間で情報や信号の受け渡しを行なう拡張Ｉ／Ｏ（Ａ／Ｄ変換部、およびＤ／Ａ変換部を含む。）２０９と、本体バックアップメモリ２１１と、拡張Ｉ／Ｏ２０９からの発光制御信号に基づき制御される、シアン、マゼンタ、イエロー、ブラック用のレーザダイオード２１３と、各種センサ（環境温度センサＳＥを含む。）２１５と、各種モータ、各種ソレノイド、各種クラッチ、各種高圧電源、および各種リレー２１７と、シアン、マゼンタ、イエロー、ブラック用のトナー濃度を測定するトナー濃度センサ２１９とを備えている。
【００４４】
プリンタコントローラー部は、画像処理を行なう画像処理コントローラー２３１と、液晶表示装置（ＬＣＤ）を含み、その表示制御を行なうＬＣＤコントローラー２３３と、キーボードを含み、それからのユーザ入力を受付けるキーボードコントローラー２３５とを備える。
【００４５】
イメージングユニットには、メモリ２３７が含まれる。
【００４６】
さらに拡張Ｉ／Ｏ２０９には、イメージングユニットＩＵの転写ローラーを中間転写ベルトに圧接させたり、離間させたりする圧接離間モータ３０１と、その圧接離間の状態を検出する圧接離間位置センサ３０３とが接続されている。
【００４７】
図３は、イメージングユニットＩＵの一部構成を示す図である。
【００４８】
図３（Ａ）に示されるように、中間転写ベルト３０５は矢印方向に速度Ｖで駆動されるものとする。駆動には、転写ベルト駆動ローラー３０７が用いられる。転写ベルト駆動ローラー３０７は、中間転写ベルト３０５を介して２次転写ローラー３０９に対峙する。
【００４９】
中間転写ベルト３０５にトナー像を形成するため、イエロー、マゼンタ、シアン、ブラックの感光体３２１Ｙ，３２１Ｍ，３２１Ｃ，３２１Ｋが配列されている。中間転写ベルト３０５がブラックの感光体３２１Ｋに対向する位置から、２次転写ローラー３０９に対向する位置までの距離をＬ１で示す。
【００５０】
図３（Ｂ）は、図３（Ａ）のブラックの感光体３２１Ｋの周囲の構成を拡大した図である。
【００５１】
図に示されるように、感光体３２１Ｋの表面は、中間転写ベルト３０５の駆動速度と同じ線速度Ｖで駆動される。
【００５２】
感光体３２１Ｋの周囲には、帯電チャージャー３５３、レーザビームを照射する照射装置、現像器３５１、クリーナー３５７、およびイレーサー３５５が設けられている。
【００５３】
帯電チャージャー３５３による感光体３２１Ｋの帯電範囲をＬ４で示し、帯電チャージャー３５３の中央から現像器３５１による現像位置までの、感光体３２１Ｋの表面の距離をＬ３で示す。
【００５４】
現像器３５１による現像位置から中間転写ベルト３０５がブラックの感光体３２１Ｋに対向する位置までの、感光体３２１Ｋの表面の距離をＬ２で示す。
【００５５】
感光体３２１Ｋは、画像を担持する像担持体を構成する。帯電チャージャー３５３は、像担持体表面を一様に帯電する帯電部材を構成する。レーザービームおよびそれを照射する機構（図２のレーザーダイオード２１３など）は、帯電チャージャーにより一様に帯電された像担持体上に静電潜像を形成する露光部材を構成する。
【００５６】
現像器３５１は、露光部材により形成された静電潜像を顕著化する。２次転写ローラー３０９は、現像部材により顕著化されたトナー像を被転写体へ転写する転写部材を構成する。
【００５７】
図４は、２次転写ローラー３０９の圧接離間機構の構成を示す図である。
【００５８】
２次転写ローラー３０９には、ばねにより図面右に向かう張力が付与されている。圧接離間カム３１１は圧接離間モータ３０１（図２）に接続され、２次転写ローラー３０９を支持する部材に当接している。圧接離間カム３１１は、回転することで２次転写ローラー３０９を中間転写ベルト３０５に当接させたり離間させたりする。圧接離間の状態は、圧接離間位置センサ３０３により検出される。
【００５９】
２次転写ローラー３０９は、高圧電源３１５に接続されており、電圧が印加される。
【００６０】
図５は、画像形成装置の高圧電源の具体例を示す図である。
【００６１】
高圧電源３１５は、帯電チャージャー３５３に電圧を印加するための帯電出力用電源３１５ａと、現像ローラー３５１ａに電圧を印加するための現像バイアス出力用電源３１５ｂと、印字時に２次転写ローラー３０９に電圧を印加するための２次転写出力用電源３１５ｃとを備える。
【００６２】
帯電出力用電源３１５ａは、−３００Ｖ〜−１１００Ｖの電圧を出力し、現像バイアス出力用電源３１５ｂは、−１００Ｖ〜−８００Ｖの電圧を出力し、２次転写出力用電源３１５ｃは、＋３００Ｖ〜＋４８００Ｖの電圧を出力する。
【００６３】
現像バイアス出力用電源３１５ｂと２次転写出力用電源３１５ｃとの出力が、スイッチＳＷにより切り替えられて転写ローラー３０９に印加される。
【００６４】
クリーニングを実行するためには、転写部材へ電圧を印加する高圧電源に対して、印加電圧の出力や極性を変化させる機能が必要である。本実施の形態では、クリーニング時には現像バイアス出力用電源３１５ｂの出力を転写ローラー３０９に印加することで、印加電圧の出力や極性を変化させる。
【００６５】
これにより、図１８に示される２次転写出力用（クリーニング用）電源３１５ｅを省くことができ、高圧電源のコストを低下させることができる。
【００６６】
図６は、印字中とクリーニング時における高圧電源の出力を示す図である。
【００６７】
印字中には帯電出力用電源３１５ａは、−３００Ｖ〜−１１００Ｖの電圧を出力し、現像バイアス出力用電源３１５ｂは、−１００Ｖ〜−８００Ｖの電圧を出力し、２次転写出力用電源３１５ｃは、＋３００Ｖ〜＋４８００Ｖの電圧を出力する。
【００６８】
２次転写ローラー３０９には、２次転写出力用電源３１５ｃの電圧が出力される。
【００６９】
クリーニング時には帯電出力用電源３１５ａは、−６５０Ｖの電圧を出力し、現像バイアス出力用電源３１５ｂは、−５００Ｖの電圧を出力し、２次転写出力用電源３１５ｃは、＋５００Ｖの電圧を出力する。
【００７０】
２次転写ローラー３０９には、２次転写出力用電源３１５ｃおよび２次転写出力用電源３１５ｃの電圧が切り替えられて繰り返し付与される。
【００７１】
このように、画像形成装置は、像担持体のトナー像を記録媒体に転写する印字モードと、転写部材の汚れを取り除くクリーニングモードとを有する。
【００７２】
印字モードからクリーニングモードに切り替わるとき、帯電出力と現像バイアスＤＣ出力と２次転写出力とを切り替える出力切替シーケンスが実行される。
【００７３】
出力切替シーケンスにて発生するかぶりトナーを転写部材で回収した後に、転写部材をクリーニングする制御が実行される。
【００７４】
クリーニングモードから印字モードに切り替わるとき、同様に出力切替シーケンスが実行される。出力切替シーケンスにて発生したかぶりトナーが２次転写ローラーに到達する前に、２次転写ローラーを離間し、かぶりトナー通過後に再圧接させる。その後、印字が再開される。
【００７５】
クリーニングの出力切替シーケンス制御実行時に、感光体にキャリアを付着させずに、常にかぶりトナーが付着するように電圧の制御が行なわれる。そのため、現像バイアスＤＣの出力の絶対値を上げる時は、先に帯電出力値を上げて、帯電出力の絶対値を上げた時の帯電ポイントと対向していた感光体表面の位置が、現像ポイントより上流の位置にあるときに、現像バイアスＤＣ出力の絶対値を設定する。
【００７６】
現像バイアスＤＣの出力値の絶対値を下げるときは、先に帯電出力の絶対値を下げて、帯電出力の絶対値を下げた時の帯電ポイントと対向していた感光体表面の位置が、現像ポイントより下流の位置にあるときに、現像バイアスＤＣ出力の絶対値を設定する。
【００７７】
図７は、印字時とクリーニング時の高圧電源の出力と２次転写ローラー圧接離間の切替タイミングを示す図である。
【００７８】
図７においては、現像バイアスの絶対値に関して、印字中よりもクリーニング中の方が大きい場合の例を示している。
【００７９】
この図においては、印字モード（印字中シーケンス）から、クリーニングモードへ移行するシーケンス（クリーニング移行シーケンス）が実行され、クリーニングモード（クリーニングシーケンス）の処理が実行される状況を示している。
【００８０】
さらに、クリーニングモードから印字モードへ移行するシーケンス（クリーニング復帰シーケンス）が実行され、印字モード（印字中シーケンス）の処理が実行される状況を示している。
【００８１】
（Ａ）〜（Ｃ）において、帯電出力、現像バイアス出力、および２次転写出力が示されている。（Ｄ）において、２次転写ローラーの圧接離間状態が示されている。図中の太線が切り替えのタイミングを示す。点線は、各シーケンスの区切りを示す。
【００８２】
クリーニング移行シーケンスにおいて、（Ａ）の帯電出力は、−５００Ｖから−６５０Ｖに切り替えられる。（Ｂ）の現像バイアス出力は、−３５０Ｖから−５００Ｖに切り替えられる。（Ｃ）の２次転写出力は、＋１５００Ｖから−５００Ｖ／＋５００Ｖの繰り返しに切り替えられる。
【００８３】
クリーニング復帰シーケンスにおいて、（Ａ）の帯電出力は、−６５０Ｖから−５００Ｖに切り替えられる。（Ｂ）の現像バイアス出力は、−５００Ｖから−３５０Ｖに切り替えられる。（Ｃ）の２次転写出力は、−５００Ｖ／＋５００Ｖの繰り返しから＋１５００Ｖに切り替えられる。
【００８４】
また、クリーニング復帰シーケンスにおいて、（Ｄ）の２次転写ローラーは、圧接状態から離間状態となり、その後圧接状態となる。
【００８５】
クリーニング移行シーケンスにおいて、（Ａ）の帯電出力が、−５００Ｖから−６５０Ｖに切り替えられた後、Ｔ１の時間が経過した後に、（Ｂ）の現像バイアス出力が、−３５０Ｖから−５００Ｖに切り替えられる。
【００８６】
クリーニング復帰シーケンスにおいて、２次転写ローラーの離間要求が出力され、時間Ｔ３が経過した後に、（Ａ）の帯電出力が、−６５０Ｖから−５００Ｖに切り替えられる。その後、Ｔ２の時間が経過した後に、（Ｂ）の現像バイアス出力が、−５００Ｖから−３５０Ｖに切り替えられる。さらにその後、Ｔ４の時間が経過した後に、２次転写ローラーの圧接要求が出され、時間Ｔ５後に２次転写ローラーが圧接状態となる。
【００８７】
図８は、印字時とクリーニング時の高圧電源の出力と２次転写ローラー圧接離間の切替タイミングを示す図である。
【００８８】
図８においては、現像バイアスの絶対値に関して、印字中よりもクリーニング中の方が小さい場合の例を示している。
【００８９】
クリーニング移行シーケンスにおいて、（Ａ）の帯電出力は、−７５０Ｖから−６５０Ｖに切り替えられる。（Ｂ）の現像バイアス出力は、−６００Ｖから−５００Ｖに切り替えられる。（Ｃ）の２次転写出力は、＋１５００Ｖから−５００Ｖ／＋５００Ｖの繰り返しに切り替えられる。
【００９０】
クリーニング復帰シーケンスにおいて、（Ａ）の帯電出力は、−６５０Ｖから−７５０Ｖに切り替えられる。（Ｂ）の現像バイアス出力は、−５００Ｖから−６００Ｖに切り替えられる。（Ｃ）の２次転写出力は、−５００Ｖ／＋５００Ｖの繰り返しから＋１５００Ｖに切り替えられる。
【００９１】
また、クリーニング復帰シーケンスにおいて、（Ｄ）の２次転写ローラーは、圧接状態から離間状態となり、その後圧接状態となる。
【００９２】
クリーニング移行シーケンスにおいて、（Ａ）の帯電出力が、−７５０Ｖから−６５０Ｖに切り替えられた後、Ｔ２の時間が経過した後に、（Ｂ）の現像バイアス出力が、−６００Ｖから−５００Ｖに切り替えられる。
【００９３】
クリーニング復帰シーケンスにおいて、２次転写ローラーの離間要求が出力され、時間Ｔ３が経過した後に、（Ａ）の帯電出力が、−６５０Ｖから−７５０Ｖに切り替えられる。その後、Ｔ１の時間が経過した後に、（Ｂ）の現像バイアス出力が、−５００Ｖから−６００Ｖに切り替えられる。さらにその後、Ｔ４の時間が経過した後に、２次転写ローラーの圧接要求が出され、時間Ｔ５後に２次転写ローラーが圧接状態となる。
【００９４】
図７および８において、時間Ｔ１〜Ｔ５は、以下のように決定される。
【００９５】
Ｔ１＝{（Ｌ３−（１／２）・Ｌ４−α１）／Ｖ}                    ・・・（１）
【００９６】
（なお、α１＝５ｍｍ程度である。）
【００９７】
Ｔ１は、現像バイアスの切り替え前の出力値の絶対値が、切り替え後の出力の絶対値以下である場合の制御に用いられる時間である。
【００９８】
Ｔ２＝{（Ｌ３−（１／２）・Ｌ４＋α２）／Ｖ}                    ・・・（２）
【００９９】
（なお、α２＝５ｍｍ程度である。）
【０１００】
Ｔ２は、現像バイアスの切り替え前の出力値の絶対値が、切り替え後の出力の絶対値より大きい場合の制御に用いられる時間である。
【０１０１】
Ｔ３＝Ｔ６−{（Ｌ１＋Ｌ２＋Ｌ３−（１／２）・Ｌ４）}／Ｖ        ・・・（３）
【０１０２】
（なお、Ｔ６は離間動作に必要な時間である。）
【０１０３】
本実施の形態では、Ｔ６≧{（Ｌ１＋Ｌ２＋Ｌ３−（１／２）・Ｌ４）}／Ｖであるものとしている。
【０１０４】
Ｔ６＜{（Ｌ１＋Ｌ２＋Ｌ３−（１／２）・Ｌ４）}／Ｖとなる場合は、クリーニング移行シーケンスが異なる。基本的には、帯電チャージャーの出力を切り替えたポイントが現像ローラーに達した時点でかぶりトナーが発生する。そのかぶりトナーが２次転写部に達する前に離間動作が完了できるタイミング関係となるようなシーケンスとする。
【０１０５】
Ｔ４＝（Ｌ１＋Ｌ２）／Ｖ−Ｔ５
【０１０６】
Ｔ５＝（圧接に必要な時間）
【０１０７】
図９は、画像形成装置全体の処理を示すフローチャートである。
【０１０８】
ステップＳ１０１において、初期動作が実行される。ステップＳ１０３において、入出力処理が行なわれ、各Ｉ／Ｏからの信号の入出力を実行する。
【０１０９】
ステップＳ１０５において、スタートキーが押下されると、ステップＳ１０７において印字制御が行なわれる。
【０１１０】
印字制御中に必用なタイミングで２次転写ローラーのクリーニングシーケンスを挿入するために、ステップＳ１０９でクリーニング制御が行われる。ステップＳ１１１でその他の制御が行なわれる。これは例えば、定着器の温度調整、用紙カセットのサイズ検出その他の必要な処理である。
【０１１１】
ステップＳ１０５においてスタートキーが押されていなければ、ステップＳ１１１に進む。
【０１１２】
ステップＳ１１１での処理の後、ステップＳ１０３からの処理を繰り返し実行する。
【０１１３】
図１０および１１は、図９の印字制御（Ｓ１０７）での処理を示すフローチャートである。
【０１１４】
ここでは、感光体を中心とした電子写真プロセスの起動制御が行なわれ、これが完了すると印字動作が印字中シーケンスで実行される。印字動作中は、その他の印字制御として用紙の搬送動作などが行なわれる。所定の印字が終了すると電子写真プロセスの終了シーケンスが実行され、待機状態に戻る。
【０１１５】
また、印字動作中にクリーニングを行なう必要が生じた場合は、クリーニング移行シーケンスが実行される。クリーニング移行シーケンスが完了すると、クリーニングシーケンスの完了を待つ。クリーニングシーケンスが完了するとクリーニング復帰シーケンスを実行した後、印字中シーケンスに戻る。
【０１１６】
図１０を参照して、ステップＳ２０１において印字制御ステータスを確認する。
【０１１７】
印字制御ステータスが、「待機中」であれば、ステップＳ２０３で印字起動シーケンスを実行する。ステップＳ２０５で起動が完了したかを判定し、ＹＥＳであればステップＳ２０７でステータスを「印字中」とする。
【０１１８】
ステップＳ２０９でその他の印字制御を実行し、ステップＳ２１１でクリーニング実行カウンタをカウントアップさせる。
【０１１９】
ステップＳ２０１で印字制御ステータスが、「印字中」であれば、ステップＳ２１３で印字中シーケンスを実行する。ステップＳ２１５でクリーニング要求があるかを判定し、ＹＥＳであればステップＳ２１７でステータスを「クリーニング移行」とする。ステップＳ２１９でＳＴＥＰ＝０とし、ステップＳ２０９へ進む。
【０１２０】
また、ステップＳ２１５でＮＯであれば、ステップＳ２２１で印字終了であるかを判定し、ＹＥＳであればステップＳ２２３で、ステータスを「印字終了」とする。その後、ステップＳ２０９へ進む。
【０１２１】
ステップＳ２０１で印字制御ステータスが、「印字終了」であれば、ステップＳ２２５で印字終了シーケンスを実行する。ステップＳ２２７で印字終了シーケンスが完了したかを判定し、ＹＥＳであればステップＳ２２９でステータスを「待機中」とする。その後、ステップＳ２０９へ進む。
【０１２２】
ステップＳ２０１で印字制御ステータスが、「クリーニング移行」（図１１）であれば、ステップＳ２３１でクリーニング移行シーケンスを実行する。ステップＳ２３３で移行が完了したかを判定し、ＹＥＳであればステップＳ２３５でステータスを「クリーニング完了待ち」とする。その後、ステップＳ２０９へ進む。
【０１２３】
ステップＳ２０１で印字制御ステータスが、「クリーニング完了待ち」（図１１）であれば、ステップＳ２３７でクリーニング完了待ちシーケンスを実行する。ステップＳ２３９でクリーニングステータスが「完了」であるかを判定し、ＹＥＳであればステップＳ２４１でステータスを「クリーニング復帰」とする。その後、ステップＳ２０９へ進む。
【０１２４】
ステップＳ２０１で印字制御ステータスが、「クリーニング復帰」（図１１）であれば、ステップＳ２４３でクリーニング復帰シーケンスを実行する。ステップＳ２４５で復帰完了であるかを判定し、ＹＥＳであればステップＳ２４７でステータスを「印字中」とする。その後、ステップＳ２０９へ進む。
【０１２５】
図１２および１３は、図９のクリーニング制御（Ｓ１０９）での処理を示すフローチャートである。
【０１２６】
印字動作中からクリーニング移行シーケンスが完了すると、クリーニング動作が実行される。
【０１２７】
通常の印字状態での２次転写出力としては、環境条件や用紙の種類に合わせて＋３００〜＋１１００Ｖの電圧を出力する。クリーニング時は＋５００Ｖと−５００Ｖを所定時間間隔で所定回数交互に出力する。
【０１２８】
図１２および１３を参照して、ステップＳ３０１でクリーニング制御ステータス（クリーニングステータス）を判定する。
【０１２９】
クリーニングステータスが「待機」であれば、ステップＳ３０３においてクリーニング実行カウンタが所定値以上となっているかを判定する。ＹＥＳであればステップＳ３０３でクリーニング要求をセットする。ステップＳ３０７において、クリーニングステータスを「印字終了待ち」とする。その後、メインルーチンへ戻る。
【０１３０】
ステップＳ３０１でクリーニングステータスが「印字終了待ち」であれば、ステップＳ３０９において印字ステータスがクリーニング完了待ちとなっているかを判定する。ＹＥＳであればステップＳ３１１で、クリーニングステータスをクリーニング中（１）にする。ステップＳ３１３において、クリーニング繰り返しカウンタをゼロとする。ステップＳ３１５で、電圧印加タイマーをゼロにする。ステップＳ３１７で２次転写出力を−５００Ｖに設定する。その後、メインルーチンへ戻る。
【０１３１】
ステップＳ３０１でクリーニングステータスが「クリーニング中（１）」であれば、ステップＳ３１９において電圧印加タイマーが所定値以上となっているかを判定する。ＹＥＳであればステップＳ３２１で、電圧印加タイマーをゼロとし、ステップＳ３２３で２次転写出力を＋５００Ｖに設定する。ステップＳ３２５でクリーニング繰り返しカウンタを加算し、ステップＳ３２７でクリーニング繰り返しカウンタが所定値以上かを判定する。
【０１３２】
ステップＳ３２７でＹＥＳであれば、ステップＳ３２９でクリーニングステータスを「完了」とし、メインルーチンへ戻る。
【０１３３】
ステップＳ３２７でＮＯであれば、ステップＳ３３１でクリーニングステータスを「クリーニング中（２）」とし、メインルーチンへ戻る。
【０１３４】
ステップＳ３１９でＮＯであれば、ステップＳ３３３で電圧印加タイマーを加算し、メインルーチンへ戻る。
【０１３５】
ステップＳ３０１でクリーニングステータスが「クリーニング中（２）」であれば（図１３）、ステップＳ３３５において電圧印加タイマーが所定値以上となっているかを判定する。ＹＥＳであればステップＳ３３７で、電圧印加タイマーをゼロとし、ステップＳ３３９で２次転写出力を−５００Ｖに設定する。ステップＳ３４１でクリーニングステータスを「クリーニング中（２）」とし、メインルーチンへ戻る。
【０１３６】
ステップＳ３３５でＮＯであれば、ステップＳ３４３で電圧印加タイマーを加算し、メインルーチンへ戻る。
【０１３７】
ステップＳ３０１でクリーニングステータスが「完了」であれば（図１３）、ステップＳ３４５において印字ステータスが「クリーニング復帰」となっているかを判定する。ＹＥＳであればステップＳ３４７で、クリーニングステータスを「待機」とし、メインルーチンへ戻る。
【０１３８】
図１４は、図１１のクリーニング移行シーケンス（Ｓ２３１）での処理を示すフローチャートである。
【０１３９】
印字中においては、現像器には環境に応じて−１００〜−８００Ｖの現像バイアスが印加されている。帯電チャージャーには、環境に応じて、現像バイアスよりも１００〜４００Ｖ絶対値が大きい−３００〜−１０００Ｖ程度の電圧が印加される（印字用出力）。
【０１４０】
クリーニング中は現像バイアスが−５００Ｖに固定されるため、帯電出力も−６５０Ｖに固定される（クリーニング用出力）。
【０１４１】
電圧の切り替え手順としては、帯電チャージャーへの出力を印字用出力からクリーニング用出力に切り替え、所定時間後、現像バイアスも印字用出力からクリーニング用出力に切り替える。
【０１４２】
所定時間の設定は、印字用出力の現像バイアスの絶対値がクリーニング用出力の現像バイアスよりも絶対値で小さい場合（図７）は、帯電出力を切り替えたときに、帯電範囲に存在した感光体の表面が現像器のローラーニップ部に到達するよりも少し早く現像バイアスの出力絶対値が増加するような時間関係で行う。
【０１４３】
印字用出力の現像バイアスの絶対値がクリーニング用出力の現像バイアスよりも絶対値で大きい場合（図８）は、帯電出力を切り替えたときに、帯電範囲に存在した感光体の表面が現像器のローラーニップ部を少し通過したタイミングで、現像バイアスの出力絶対値が増加するような時間関係とする。
【０１４４】
現像バイアスの切り替えを少し早めたり、帯電範囲に存在した感光体の表面が現像器のローラーニップ部を少し通過させたりする時間は、距離にして５〜１０ｍｍ程度が望ましい。この距離が小さいと、高圧電源の電圧が変化する特性のばらつきで感光体にキャリアが付着する懸念があり、大きいと、感光体に付着するトナーの量が増えて不経済となる。
【０１４５】
図１４において、ステップＳ４０１で変数ＳＴＥＰの値を調べる。ＳＴＥＰ＝０であれば、ステップＳ４０３において、帯電出力を印字用出力からクリーニング用出力に変更する（図７の例であれば、−５００Ｖから−６５０Ｖへ変更する）。
【０１４６】
ステップＳ４０５において、現像バイアス出力の絶対値が、印字時よりクリーニング時の方が大きいかを判定する。
【０１４７】
ステップＳ４０５でＹＥＳであれば、ステップＳ４０７でタイマーに時間Ｔ１をセットし、ステップＳ４０９でＳＴＥＰ＝１とする。その後、メインルーチンへ戻る。
【０１４８】
ステップＳ４０５でＮＯであれば、ステップＳ４１１でタイマーに時間Ｔ２をセットし、ステップＳ４１３でＳＴＥＰ＝１とする。その後、メインルーチンへ戻る。
【０１４９】
ステップＳ４０１で変数ＳＴＥＰ＝１であると判定されると、ステップＳ４１５で所定時間Ｔ１またはＴ２が経過したかを判定する。
【０１５０】
ステップＳ４１５でＹＥＳであれば、ステップＳ４１７で現像バイアス出力を印字用出力からクリーニング用出力に変更する（図７の例であれば、−３５０Ｖからー５００Ｖへ変更する）。
【０１５１】
ステップＳ４１９で、移行完了をセットし、メインルーチンへ戻る。
【０１５２】
図１５および１６は、図１１のクリーニング復帰シーケンス（Ｓ２４３）の内容を示すフローチャートである。
【０１５３】
クリーニング復帰シーケンスでは、はじめに２次転写ローラーの離間動作を開始する。
【０１５４】
所定時間後、帯電出力をクリーニング用から印字用に切り替える。さらに所定時間後、現像バイアスもクリーニング出力用から印字出力用に切り替える。
【０１５５】
クリーニング用出力の現像バイアスの絶対値が印字用出力の現像バイアスよりも絶対値で小さい場合（図８）は、帯電出力を切り替えたときに、帯電範囲に存在した感光体の表面が現像器のローラーニップ部に到達するよりも少し早く現像バイアスの出力絶対値が増加するような時間関係で切り替えを行なう。
【０１５６】
クリーニング用出力の現像バイアスの絶対値が印字用出力の現像バイアスよりも絶対値で大きい場合（図７）は、帯電出力を切り替えたときに、帯電範囲に存在した感光体の表面が現像器のローラーニップ部を少し通過したタイミングで、現像バイアスの出力絶対値が減少するような時間関係で切り替えを行なう。
【０１５７】
さらに所定時間後、２次転写ローラーの圧接を行う。２次転写ローラーの圧接に必要な時間が経過すると印字を再開する。
【０１５８】
図１５および１６を参照して、ステップＳ５０１において変数ＳＴＥＰの値を調べる。
【０１５９】
ＳＴＥＰ＝０であれば、ステップＳ５０３で２次転写ローラーの離間要求を出力する。ステップＳ５０５でタイマーＴ３をセットする。ステップＳ５０７でＳＴＥＰ＝１としてメインルーチンへ戻る。
【０１６０】
ステップＳ５０１において、ＳＴＥＰ＝１であれば、ステップＳ５０９において、所定時間Ｔ３が経過したかを判定する。ＹＥＳであれば、ステップＳ５１１で帯電出力をクリーニング用出力から印字用出力に変更する（図７の例であれば、−６５０Ｖから−５００Ｖへ変更する）。
【０１６１】
ステップＳ５１３において、現像バイアス出力の絶対値が、印字時よりクリーニング時の方で大きいかを判定する。
【０１６２】
ステップＳ５１３でＹＥＳであれば、ステップＳ５１５でタイマーに時間Ｔ２をセットし、ステップＳ５１７でＳＴＥＰ＝２とする。その後、メインルーチンへ戻る。
【０１６３】
ステップＳ５１３でＮＯであれば、ステップＳ５１９でタイマーに時間Ｔ１をセットし、ステップＳ５２１でＳＴＥＰ＝２とする。その後、メインルーチンへ戻る。
【０１６４】
ステップＳ５０１において、ＳＴＥＰ＝２であれば、ステップＳ５２３において、所定時間Ｔ１またはＴ２が経過したかを判定する。ＹＥＳであれば、ステップＳ５２５で現像出力をクリーニング用出力から印字用出力に変更する（図７の例であれば、−５００Ｖから−３５０Ｖへ変更する）。
【０１６５】
ステップＳ５２７において、タイマーに時間Ｔ４をセットし、ＳＴＥＰ＝３とする。その後、メインルーチンへ戻る。
【０１６６】
ステップＳ５０１において、ＳＴＥＰ＝３であれば（図１６）、ステップＳ５２９において、所定時間Ｔ４が経過したかを判定する。ＹＥＳであれば、ステップＳ５３１で２次転写ローラー圧接要求を出力する。
【０１６７】
その後、ステップＳ５３３において、タイマーに時間Ｔ５をセットし、ＳＴＥＰ＝４とする。その後、メインルーチンへ戻る。
【０１６８】
ステップＳ５０１において、ＳＴＥＰ＝４であれば（図１６）、ステップＳ５３５において、所定時間Ｔ５が経過したかを判定する。ＹＥＳであれば、ステップＳ５３７で復帰完了とする。その後、メインルーチンへ戻る。
【０１６９】
なお本実施の形態では、２次転写ローラーの離間を開始してから、クリーニング用出力を印字用出力に切り替え、その後再圧接の動作を行なっている。しかしながら、出力切り替え時に付着するトナーが２次転写部に移動する時間よりも圧接離間の時間が短い場合は、出力の切り替えと圧接離間の順序を入れ替える方が望ましい。
【０１７０】
[変形例]
【０１７１】
なお本発明は、中間転写ベルトを持たず、感光体と転写ローラーとの間に用紙を挿通させ、用紙にトナー像を形成するタイプの画像形成装置にも応用することが可能である。
【０１７２】
図１７は、変形例における画像形成装置の構成を示す図である。
【０１７３】
図に示されるように画像形成装置は、感光体４０１と、用紙収容カセット４０３と、給紙ローラー４０５と、転写ローラー４０７と、定着ローラー４０９とを備える。
【０１７４】
図４と同様の構成で転写ローラー４０７を矢印方向に圧接離間させるのであれば、本発明のクリーニング動作を実施することができる。
【０１７５】
［実施の形態における効果］
【０１７６】
本実施の形態によると、クリーニング開始時に、意図的にトナーを感光体に付着させることとなる。付着されたトナーはやがて転写部材に到達する。このとき転写部材にトナーが付着しないように転写部材を離間させると、トナーが通過した後の再圧接に時間がかかり、印字中断時間が長くなる。このため、クリーニング実施前に付着したトナーは転写部材を離間させることなく通過させることで、時間の短縮を図る。
【０１７７】
逆に、クリーニング終了時に付着したトナーが転写部材を汚すことを防ぐ必要があるので、転写部材を離間させた状態でトナーを通過させる。
【０１７８】
以上の構成によると、画像形成装置において、高価な高圧電源を用いなくとも短い動作時間でクリーニングを実現でき、印字生産性の低下を抑えることができる。また、装置自体のコストを削減することができるという効果がある。
【０１７９】
［その他］
【０１８０】
本発明はＭＦＰ、ファクシミリ装置、複写機などの画像形成装置に対して実施することができる。
【０１８１】
また、上述の実施の形態における処理は、ソフトウエアによって行なっても、ハードウエア回路を用いて行なってもよい。
【０１８２】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【０１８３】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８４】
【図１】本発明の実施の形態の１つにおける画像形成装置の概略構成を示す図である。
【図２】画像形成装置の制御装置のブロック図である。
【図３】イメージングユニットＩＵの一部構成を示す図である。
【図４】２次転写ローラー３０９の圧接離間機構の構成を示す図である。
【図５】画像形成装置の高圧電源の具体例を示す図である。
【図６】印字中とクリーニング時における高圧電源の出力を示す図である。
【図７】印字時とクリーニング時の高圧電源の出力と２次転写ローラー圧接離間の切替タイミングを示す図である。
【図８】印字時とクリーニング時の高圧電源の出力と２次転写ローラー圧接離間の切替タイミングを示す図である。
【図９】画像形成装置全体の処理を示すフローチャートである。
【図１０】図９の印字制御（Ｓ１０７）での処理を示すフローチャートである。
【図１１】図１０に続くフローチャートである。
【図１２】図９のクリーニング制御（Ｓ１０９）での処理を示すフローチャートである。
【図１３】図１２に続くフローチャートである。
【図１４】図１１のクリーニング移行シーケンス（Ｓ２３１）での処理を示すフローチャートである。
【図１５】図１１のクリーニング復帰シーケンス（Ｓ２４３）の内容を示すフローチャートである。
【図１６】図１５に続くフローチャートである。
【図１７】変形例における画像形成装置の構成を示す図である。
【図１８】画像形成装置の高圧電源の具体例を示す図である。
【符号の説明】
【０１８５】
１０１  スキャナ、１０３  プリント部、１０５  給紙部、１０７  両面ユニット、１０９  後処理ユニット、１１１  ソーター、２０７  ＩＦ制御部、２１１  本体バックアップメモリ、２１３  レーザダイオード、２１９  トナー濃度センサ、２２３  排紙装置、２２９  スキャナ装置、２３１  画像処理コントローラー、２３７  メモリ、３０１  圧接離間モータ、３０３  圧接離間位置センサ、３０５  中間転写ベルト、３０７  転写ベルト駆動ローラー、３０９  ２次転写ローラー、３１１  圧接離間カム、３１５  高圧電源、３１５ａ  帯電出力用電源、３１５ｂ  現像バイアス出力用電源、３１５ｃ  ２次転写出力電源、３２１Ｙ，３２１Ｍ，３２１Ｃ，３２１Ｋ  感光体、３５１  現像器、３５１ａ  現像ローラー、３５３  帯電チャージャー、３５５  イレーサー、３５７  クリーナー、４０１  感光体、４０３  用紙収容カセット、４０５  給紙ローラー、４０７  転写ローラー、４０９  定着ローラー。
【図１】
2009020397.tif 000003
【図２】
2009020397.tif 000004
【図３】
2009020397.tif 000005
【図４】
2009020397.tif 000006
【図５】
2009020397.tif 000007
【図６】
2009020397.tif 000008
【図７】
2009020397.tif 000009
【図８】
2009020397.tif 000010
【図９】
2009020397.tif 000011
【図１０】
2009020397.tif 000012
【図１１】
2009020397.tif 000013
【図１２】
2009020397.tif 000014
【図１３】
2009020397.tif 000015
【図１４】
2009020397.tif 000016
【図１５】
2009020397.tif 000017
【図１６】
2009020397.tif 000018
【図１７】
2009020397.tif 000019
【図１８】
2009020397.tif 000020